(57)【要約】【課題】１つの入賞部品に対し３本の命釘を設けて釘調整を遊技者に認識させないように適切に行えるようにする。【解決手段】球４４が３本の命釘３６乃至３８により一般入賞部品２３に対し蛇行しつつ斜め上方から入賞させる場合、隙間４８から一般入賞部品２３の方向に緩やかに落下し、落下速度の緩やかな球４４が最も上に位置する１本の命釘３８の左側における外側面に接触し得る位置に、１本の命釘３８が設けられており、１本の命釘３８を左側または右側に釘調整することができ、下側における２本の命釘３６；３７における個々の左側または右側への移動量を少なくすることができ、２本の命釘３６；３７における個々の左側または右側への移動量が少なくなると、遊技者が遊技機枠の前側から前面パネルを通して一般入賞部品２３の周りを見た場合、２本の命釘３６；３７がどのように釘調整されたのかを遊技者が容易に見分けることができなくなる。【選択図】図１
2006230486.tif 000002
【特許請求の範囲】
【請求項１】
遊技領域に入賞部品と入賞部品への入賞率を左右する命釘とを備えたパチンコ遊技機の遊技盤において、３本の命釘が、１つの入賞部品の上部に対し、球を上記１つの入賞部品に蛇行しつつ斜め上方から入賞させるように、配置されたことを特徴とするパチンコ遊技機の遊技盤。
【発明の詳細な説明】
【技術分野】
【０００１】
本発明は、パチンコ遊技機の１つの入賞部品に対し３本の命釘を設けて釘調整を遊技者に認識させないように適切に行える遊技盤に関する。
【背景技術】
【０００２】
パチンコ遊技機の遊技盤には、１つの入賞部品に対し２本の遊技釘を相対峙してなる一対の命釘が球を入賞部品に斜め上方から入賞可能に配置されたものが知られている。しかしながら、パチンコ遊技店のような遊技店がその日の営業の形態から、命釘を釘調整した場合、遊技者が釘調整された命釘の形態を遊技機枠の前側から見ることによって、遊技者が釘調整の結果を容易に把握することができるという欠点があった。
【非特許文献１】株式会社  白夜書房発行、パチンコ必勝ガイド、２００４  １０・１６号  第３；４頁
【発明の開示】
【発明が解決しようとする課題】
【０００３】
発明が解決しようとする問題点は、入賞部品に対する命釘の釘調整が遊技者から容易に見分けられるという点である。
【課題を解決するための手段】
【０００４】
本発明に係るパチンコ遊技機の遊技盤は、遊技領域に入賞部品と入賞部品への入賞率を左右する命釘とを備えたパチンコ遊技機の遊技盤において、３本の命釘が、１つの入賞部品の上部に対し、球を上記１つの入賞部品に蛇行しつつ斜め上方から入賞させるように、配置されたことを最も主要な特徴とする。
【発明の効果】
【０００５】
本発明に係るパチンコ遊技機の遊技盤は、３本の命釘が、１つの入賞部品の上部に対し、球を上記１つの入賞部品に蛇行しつつ斜め上方から入賞させるように、配置されたことによって、球が入賞部品の上方から入賞部品の方向に緩やかに落下し、当該落下速度の緩やかな球が最も上に位置する１本の命釘の左側における外側面に接触し得る位置に、最も上に位置する１本の命釘が設けられていれば、最も上に位置する１本の命釘を左側または右側に釘調整することができ、下側の２本の命釘における個々の左側または右側への移動量を少なくすることができ、このように下側の２本の命釘における個々の左側または右側への移動量が少なくなると、遊技者が遊技機枠の前側から入賞部品の周りを見た場合、下側の２本の命釘がどのように釘調整されたのかを遊技者が容易に見分けることができなくなるという利点がある。
【発明を実施するための最良の形態】
【０００６】
図１乃至図４は、発明を実施するための最良の形態である。図１のａ図は、遊技盤１５における１つの一般入賞部品２３に対する３本の命釘３６；３７；３８の配置構成の正面を示す。図１のｂ図は、命釘３６乃至３８に相当する命釘４０が遊技盤１５に打ち込まれた断面を示す。図２は、遊技盤１５における１つの一般入賞部品２３に対する命釘３８を右側に移動して釘調整された形態の正面を示す。図３は、遊技盤１５における１つの一般入賞部品２３に対する命釘３８を左側に移動して釘調整された形態の正面を示す。図４は、パチンコ遊技機の正面を示す。この明細書において、「前」、「後」、「裏」、「左」、「右」、「上」、「下」の方向は、図４の状態に遊技機枠１および遊技盤１５を置いて、図４の紙面の前側から見た場合に特定される方向である。「後」と「裏」とは同じ方向である。
【０００７】
図４を参照し、パチンコ遊技機について説明する。パチンコ遊技機の遊技機枠１は、固定枠２の前側に可動枠３を左側のヒンジ４を中心として固定枠２の前側で前側に開かれかつ後側に閉じられるように、横方向に片開き可能に備え、可動枠３の前側に前扉５および球皿構造体６を左側のヒンジ７を中心として可動枠３の前側で前側に開かれかつ後側に閉じられるように、片開き可能に備える。固定枠２は、パチンコ遊技店の島とも呼ばれる図外の遊技機設置構造体に取り付けるための外枠とも呼ばれる。可動枠３は、遊技盤１５を取り付ける前枠とも呼ばれる。可動枠３の右側部には、施錠装置８が設けられる。閉じられた球皿構造体６で覆われる可動枠３の前面には、球発射機構９が設けられる。前扉５は、パネル枠とも呼ばれ、前後方向に貫通する窓１０と、窓１０を裏側から覆う前面パネル１１とを備える。前面パネル１１は、ガラスまたは合成樹脂などの光を透過する性質の有る材料からなる板状である。球皿構造体６は、球皿部１２および球発射操作機構１３を前面から前側に突出した形態に備える。
【０００８】
そして、可動枠３が図外のロック機構で固定枠２に開閉不能に支持され、前扉５および球皿構造体６が閉じられて図外のロック機構で可動枠３に開閉不能に支持された状態において、遊技店の店員が図外のキープレート（鍵）を遊技機枠１の前側から施錠装置８の鍵穴１４に挿入して当該キープレートを例えば左側に９０度回転操作すると、可動枠３と前扉５とのロック機構による支持形態が解除される。その状態において、遊技盤１５の前面が前側に向けられ、遊技盤１５が可動枠３の前側から可動枠３の内部に装着される。そして、前扉５が閉じられてロック機構で可動枠３に開閉不能に支持されることによって、遊技盤１５の前面が遊技機枠１の前側から前面パネル１１を通して見える形態となる。その後、店員がキープレートを施錠装置８の鍵穴１４から前側に抜き取る。
【０００９】
遊技盤１５は、板状の前面における内ガイドレール１６と外ガイドレール１７とで囲まれた内側の遊技領域１８に、センター飾り１９、サイド飾り２０、風車２１、普通始動部品２２、一般入賞部品２３、特別始動入賞部品２４、可変入賞部品２５、普通図柄表示器２６、特別図柄表示器２７、遊技釘２８、球戻り防止弁２９、球反発体３０、アウト口３１などの前部品を備えた構成である。内ガイドレール１６の左側部と外ガイドレール１７の左側部との間の隙間は、球発射通路３２である。普通始動部品２２は、遊技領域１８から球が入ると、普通図柄表示器２６による普通図柄変動遊技を行わせる部品であって、遊技領域１８から入った球を遊技盤１５の裏側に排出することなく遊技領域１８に排出する通過形であり、賞球として定められた個数の球を遊技者に払い出さない部品である。一般入賞部品２３、特別始動入賞部品２４、可変入賞部品２５は、遊技領域１８から入った球を遊技盤１５の裏側に排出する取込形の入賞部品である。一般入賞部品２３は、遊技領域１８から球が入賞すると、賞球として定められた個数の球を遊技者に払い出す入賞部品である。
【００１０】
特別始動入賞部品２４は、遊技領域１８から球が入賞すると、特別図柄表示器２７による特別図柄変動遊技を行わせる入賞部品であって、賞球として定められた個数の球を遊技者に払い出す。特別始動入賞部品２４は、普通図柄表示器２６による普通図柄変動遊技の結果として、普通図柄表示器２６が当たりを停止して表示することによって、一対の羽根３３が左右に開閉する電動チューリップになっている。普通図柄表示器２６は、可変入賞部品２５における開閉体３４よりも左右側部の前面に設けられ、ＬＥＤからなる２個の表示灯を備え、例えば、普通図柄変動遊技の結果が当たりの場合は右側における１個の表示が緑色に点灯し、普通図柄変動遊技の結果が当たりの場合は左側における１個の表示が赤色に点灯することによって、遊技者に普通図柄変動遊技の結果の当たりと外れとを知らせる。
【００１１】
特別図柄表示器２７は、センター飾り１９における保護パネル３５の裏側に設けられ、電気的に表示形態の変えられる画像を表示画面に表示する、液晶表示器、ＣＲＴ表示器、プラズマディスプレイなどのような面状の画像表示器により構成される。可変入賞部品２５は、アタッカまたは大入賞口と呼ばれ、特別図柄変動遊技の結果として特別図柄表示器２７が当たりを停止して表示した場合、開閉体３４が所定回数または所定時間だけ開閉する大当たり遊技を行い、開閉体３４の開放中に、遊技領域１８から球が入賞すると、賞球として定められた個数の球を遊技者に払い出す入賞部品である。開閉体３４が閉じると、遊技領域１８から球が可変入賞部品２５に入賞しない。遊技釘２８は、センター飾り１９、サイド飾り２０、風車２１、普通始動部品２２、一般入賞部品２３、特別始動入賞部品２４、可変入賞部品２５、普通図柄表示器２６、特別図柄表示器２７、球戻り防止弁２９、球反発体３０、アウト口３１などの部品から露出した遊技領域１８に、多数、点在配置されるように、遊技盤１５の遊技領域１８における前面から内部に打ち込まれて、遊技盤１５に設けられる。
【００１２】
そして、前述したように遊技盤１５が可動枠３に装着され、前扉５が閉じられて可動枠３に開閉不能に支持された場合、内ガイドレール１６、外ガイドレール１７、遊技領域１８、センター飾り１９、サイド飾り２０、風車２１、普通始動部品２２、一般入賞部品２３、特別始動入賞部品２４、可変入賞部品２５、普通図柄表示器２６、特別図柄表示器２７、遊技釘２８、球戻り防止弁２９、球反発体３０、アウト口３１、球発射通路３２が、遊技機枠１の前側から前面パネル１１を通して見える。その状態において、遊技者が球皿部１２に球を入れて球発射操作機構１３を操作すると、球発射機構９が球発射操作機構１３による操作量に応じた電気的な発射力と１分間を百未満の等間隔に分けた周期とによって球皿部１２から供給された球を１個ずつ遊技領域１８に向けて発射する。この球発射機構９から発射された球は、球発射通路３２から球戻り防止弁２９を押し開けて遊技領域１８に到達する。遊技領域１８に到達した球は、遊技領域１８を上から下に流れる過程において、センター飾り１９、サイド飾り２０、風車２１、普通始動部品２２、一般入賞部品２３、特別始動入賞部品２４、可変入賞部品２５、遊技釘２８、球反発体３０などに衝突して流れる方向を変えながら、普通始動部品２２、一般入賞部品２３、特別始動入賞部品２４、可変入賞部品２５などに入る。一般入賞部品２３、特別始動入賞部品２４、可変入賞部品２５のいずれにも入らないで遊技領域１８の下部に到達した球は、アウト口３１から遊技盤１５の裏側に排出される。
【００１３】
図１を参照し、遊技盤１５に設けられた左下側の一般入賞部品２３に対する３本の命釘３６乃至３８を例として、詳述する。３本の命釘３６乃至３８は、球を一般入賞部品２３に蛇行しつつ斜め上方から入賞させるように配置される。このように配置された３本の命釘３６乃至３８を直線で結ぶと仮定すると、３本の命釘３６乃至３８を結んだ直線が一般入賞部品２３の上部に三角形を描き、この描かれた三角形の各頂点に３本の命釘３６乃至３８が１本ずつ位置する。図１のｂ図を参照し、図１のａ図に示す命釘３６乃至３８に相当する命釘４０の構造について説明する。命釘４０は図４の遊技釘２８と同じ構造である。図１のｂ図において、命釘４０は、直線的な丸棒状の胴体４１の上端に、胴体４１よりも直径の大きな頭４２を有し、胴体４１の下端部が遊技盤１５の遊技領域１８における前面から内部に打ち込まれており、遊技領域１８を流下する球４４が命釘４０の胴体４１の外側面に衝突し、遊技領域１８を流下する球４４が命釘４０の頭４２には衝突しないように、命釘４０が遊技盤１５に設けられる。そして、図１のａ図における命釘３６乃至３８は、図１のｂ図における頭４２の図示を省略し、図１のｂ図における命釘４０の胴体４１を図示した。図１のｂ図における直線Ｐは、命釘４０の中心を示す。
【００１４】
図１のａ図において、図４に示す風車２１と３本の命釘３６乃至３８との間には、第１連釘群４５、第２連釘群４６、第３連釘群４７が、遊技領域１８から遊技盤１５に打ち込まれて、配置される。第１連釘群４５、第２連釘群４６、第３連釘群４７は、左下側の一般入賞部品２３から図４に示す可変入賞部品２５の方向に球を誘導するものであって、遊技釘２８と同じ種類の遊技釘が多数本隣接して配置された形態である。第１連釘群４５、第２連釘群４６、第３連釘群４７を構成する遊技釘どうしの間隔は、球４４を上方から下方に通過させない寸法である。第１連釘群４５と第２連釘群４６との間には球４４を上方から下方に通過させるための隙間４８が形成され、第２連釘群４６と第３連釘群４７との間には球４４を上方から下方に通過させるための隙間４９が形成される。隙間４８；４９の左右方向の間隔は、１個の球４４が通過可能であるが、２個の球４４が左右に並んだ並列状態で通過できない寸法である。
【００１５】
よって、遊技領域１８の上方から第１連釘群４５の上に落下した球４４は、第１連釘群４５の上を第２連釘群４６の方向に流れた後、隙間４８から下方に落下するか、または、第１連釘群４５から隙間４８を飛び越えて第２連釘群４６の上に到達する。第１連釘群４５から第２連釘群４６に到達した球４４、または、遊技領域１８の上方から第２連釘群４６の上に落下した球４４は、第２連釘群４６の上を第３連釘群４７の方向に流れた後、隙間４９から下方に落下するか、または、第２連釘群４６から隙間４９を飛び越えて第３連釘群４７の上に到達する。第１連釘群４５における隙間４８の側に最も位置する遊技釘の下部には、複数本の障害釘５０が遊技領域１８から遊技盤１５に打ち込まれて、配置される。障害釘５０は、遊技釘２８と同じ種類の遊技釘が複数本縦方向に隣接して配置された形態である。障害釘５０を構成する遊技釘どうしの間隔は、球４４を上方から下方に通過させない寸法である。よって、障害釘５０は隙間４８から落下した球を下側の一般入賞部品２３の方向に誘導する。
【００１６】
命釘３６は、遊技領域１８から遊技盤１５に打ち込まれて、左下側の一般入賞部品２３における入賞口５１の右側縁部の真上に配置される。命釘３６と入賞口５１の右側縁部との間には、隔壁釘５２が、遊技領域１８から遊技盤１５に打ち込まれて、配置される。命釘３６と隔壁釘５２との間の隙間、隔壁釘５２と入賞口５１の右側縁部との間の隙間は、球４４を側方に通過させない寸法である。隔壁釘５２は、遊技釘２８と同じ種類の遊技釘により構成される。命釘３７は、命釘３６よりも左上方に位置し、遊技領域１８から遊技盤１５に打ち込まれて、左下側の一般入賞部品２３における入賞口５１の左側縁部の上方に配置される。命釘３７と入賞口５１の左側縁部との間には、多数本の隔壁釘５３が、遊技領域１８から遊技盤１５に打ち込まれて、配置される。
【００１７】
隔壁釘５３は、遊技釘２８と同じ種類の遊技釘により構成される。多数本の隔壁釘５３の配置形態は、上方から下方に行くに従って徐々に右側から左側へと外側に突出した後に左側から右側へと内側に突出した、弧状を形成する。命釘３７と隔壁釘５３との間の隙間、隔壁釘５３と入賞口５１の左側縁部との間の隙間、隔壁釘５３どうしの間の隙間は、球４４を側方に通過させない寸法である。隔壁釘５２と隔壁釘５３との間の隙間、命釘３６と隔壁釘５３との間の隙間は、１個の球４４が通過可能であるが、２個の球４４が左右に並んだ並列状態で通過できない寸法である。命釘３７と障害釘５０との間の隙間は、１個の球４４は通過するが、２個の球４４は命釘３７の中心と下側の障害釘５０の中心とを結ぶ線と平行に並んだ並列状態で通過できない寸法であって、寸法Ｌ１よりも大きな寸法である。
【００１８】
命釘３８は、命釘３６の中心を通る垂線Ｙ１と命釘３７の中心を通る垂線Ｙ２との間に位置し、第２連釘群４６における隙間４８の側に最も位置する遊技釘の下部に位置して設けられる。命釘３８と障害釘５０との間の隙間は、１個の球４４は通過するが、２個の球４４は命釘３８の中心と障害釘５０の中心とを結ぶ線と平行に並んだ並列状態で通過できない寸法であって、寸法Ｌ１よりも大きな寸法である。
【００１９】
命釘３６の中心と命釘３７の中心との間の寸法をＬ１とし、命釘３７の中心と命釘３８の中心との間の寸法をＬ２とする。寸法Ｌ１と寸法Ｌ２とは、同一寸法に設定されており、１個の球４４は命釘３６と命釘３７との間の隙間および命釘３７と命釘３８との間の隙間を通過するが、２個の球４４は命釘３６の中心と命釘３７の中心とを結ぶ線または命釘３７の中心と命釘３８の中心とを結ぶ線と平行に並んだ並列状態で通過できない寸法であて、例えば、寸法Ｌ１；Ｌ２から１本の命釘３６の直径を引き算した寸法が、１個の球４４の直径より０．８ｍｍ大きいというように、１個の球４４の直径よりわずかに大きな寸法である。よって、遊技領域１８の上方から隙間４８、命釘３７と命釘３８の間の隙間、命釘３６と命釘３７の間の隙間を順に通過した球４４は、隔壁釘５２と隔壁釘５３との間の隙間を通過して左下側の一般入賞部品２３の入賞口５１に取り込まれる。
【００２０】
図１のａ図に示す一般入賞部品２３に対し３本の命釘３６乃至３８の設けられた遊技盤１５を、図４の遊技機枠１に装着し、図４の球発射操作機構１３を操作し、球を遊技領域１８に発射した、実射実験を行ったところ、図１のａ図の矢印ａで示す経路、つまり、球４４が、隙間４８から、命釘３８と障害釘５０との間の隙間、命釘３７と命釘３８との間の隙間、命釘３６と命釘３７との間の隙間、隔壁釘５２と隔壁釘５３との間の隙間を順に通過して下側の一般入賞部品２３の入賞口５１に取り込まれる割合が２割であり、図１のａ図の矢印ｂで示す経路、つまり、球４４が、隙間４８から、命釘３８と障害釘５０との間の隙間、命釘３７と障害釘５０との間の隙間を順に通過して下側の一般入賞部品２３に取り込まれることなく下方に流れる割合が６割であり、図１のａ図の矢印ｃで示す経路、つまり、球４４が、隙間４８から、命釘３８と障害釘５０との間の隙間、命釘３７と命釘３８との間の隙間を順に通過して一般入賞部品２３に取り込まれることなく図４に示す可変入賞部品２５の方向に流れる割合が２割であった。
【００２１】
図２を参照し、上記実射実験において、命釘３６；３７を釘調整せず、命釘３７の中心を通る垂線Ｙ２と命釘３８の中心を通る垂線Ｙ３との間の横方向の距離Ｘ１を大きくするように釘調整した場合について説明する。図２は、命釘３８の上部を、仮想線で示す位置から実線で示す位置へと右側に移動するように、人がハンマーのような調整工具で命釘３８の上部を左側から右側に叩いて釘調整した場合である。図２における命釘３８を仮想線で示す位置は、命釘３８が図１のａ図に示す位置に設けられた形態を示す。つまり、図２は、図１のａ図に示す命釘３８の上部が右側に釘調整された場合を、実線で示す。命釘３８が、図２の仮想線で示す位置から実線で示す位置に釘調整された状態における実射実験では、釘調整する前と比較し、球４４が矢印ｅで示す経路よりも矢印ｄで示す経路に流れやすく、球４４が命釘３７；３８の間を通りやすくなった。
【００２２】
よって、命釘３７；３８との間の横方向の距離Ｘ１を大きくするように、命釘３８が釘調整された場合、第１連釘群４５と第２連釘群４６との間の隙間４８を上方から下方に落下する球４４が命釘３７；３８の間の隙間を通過する図１のａ図における矢印ａで示す経路または矢印ｃで示す経路の方向に流れやくなり、第１連釘群４５と第２連釘群４６との間の隙間４８を上方から下方に落下する球４４が命釘３７と障害釘５０との間の隙間を通過する図１のａ図における矢印ｂで示す経路の方向に流れにくくなった。この結果、図２に示す遊技盤１５の方が、図１のａ図に示す遊技盤１５よりも、一般入賞部品２３に球４４の取り込まれる入賞率および可変入賞部品２５に球４４の取り込まれる入賞率が向上するという利点がある。
【００２３】
図３を参照し、上記実射実験において、命釘３６；３７を釘調整せず、命釘３７の中心を通る垂線Ｙ２と命釘３８の中心を通る垂線Ｙ３との間の横方向の距離Ｘ１を小さくするように釘調整した場合について説明する。図３は、命釘３８の上部を、仮想線で示す位置から実線で示す位置へと左側に移動するように、人がハンマーのような調整工具で命釘３８の上部を右側から左側に叩いて釘調整した場合である。図３における命釘３８を仮想線で示す位置は、命釘３８が図１のａ図に示す位置に設けられた形態を示す。つまり、図３は、図１のａ図に示す命釘３８の上部が左側に移動するように、命釘３８が左側に釘調整された場合を、実線で示す。命釘３８が、図３の仮想線で示す位置から実線で示す位置へと左側に移動するように釘調整された状態における実射実験では、釘調整する前と比較し、球４４が矢印ｄで示す経路よりも矢印ｅで示す経路に流れやすく、球４４が命釘３７；３８の間を通りづらくなった。
【００２４】
よって、命釘３７；３８との間の横方向の距離Ｘ１を小さくするように、命釘３８が釘調整された場合、第１連釘群４５と第２連釘群４６との間の隙間４８を上方から下方に落下する球４４が命釘３７；３８の間の隙間を通過する図１のａ図における矢印ａで示す経路または矢印ｃで示す経路の方向に流れづらくなり、第１連釘群４５と第２連釘群４６との間の隙間４８を上方から下方に落下する球４４が命釘３７と障害釘５０との間の隙間を通過する図１のａ図における矢印ｂで示す経路の方向に流れやすくなった。この結果、図３に示す遊技盤１５の方が、図１のａ図に示す遊技盤１５よりも、一般入賞部品２３に球４４の取り込まれる入賞率および可変入賞部品２５に球４４の取り込まれる入賞率が低下するという利点がある。
【００２５】
最良の形態によれば、球４４が一般入賞部品２３の上部から３本の命釘３６乃至３８相互の間の隙間を通過することによって蛇行して一般入賞部品２３に斜め上方から入賞するように、３本の命釘３６乃至３８が１つの一般入賞部品２３に対して設けられているので、一般入賞部品２３に対し相対峙する一対の命釘３６；３７の釘調整が甘くても、一対の命釘３６；３７よりも上方に存在する命釘３８を適切に釘調整すれば、一般入賞部品２３に球４４の取り込まれる入賞率および可変入賞部品２５に球４４の取り込まれる入賞率を適切に釘調整することができる。距離Ｘ１が大きくなればなるほど、一般入賞部品２３に球が入賞しやすくなるが、距離Ｘ１は、５乃至５．６ｍｍの範囲に設定されるのが、一般入賞部品２３に球４４の取り込まれる入賞率に対する釘調整の観点から最良である。
【００２６】
その理由は、命釘３８が設けられることなく、２本の命釘３６；３７が１つの一般入賞部品２３に対し斜め上方から入賞するように相対峙するように分けられて設けられただけの場合、球４４が図１のａ図に示す第１連釘群４５と第２連釘群４６との間の隙間４８から一般入賞部品２３の方向である矢印ａで示す経路に流れる割合と矢印ｂで示す経路に流れる割合とを変えるためには、１本の命釘３７を左側または右側に釘調整しなければならない。このように１本の命釘３７を釘調整した場合、命釘３７の左側または右側への移動量が多くなる。このように命釘３７の左側または右側への移動量が多くなると、遊技者が図４に示す遊技機枠１の前側から前面パネル１１を通して一般入賞部品２３の周りを見た場合、命釘３７がどのように釘調整されたのかを遊技者が容易に見分けることができる。
【００２７】
これに対し、図１のａ図に示すように、３本の命釘３６乃至３８が１つの一般入賞部品２３に対し球４４を蛇行させつつ斜め上方から入賞させるように設けられることによって、球４４が図１のａ図に示す第１連釘群４５と第２連釘群４６との間の隙間４８から一般入賞部品２３の方向に緩やかに落下し、当該落下速度の緩やかな球４４が最も上に位置する１本の命釘３８の左側における外側面に接触し得る位置に、１本の命釘３８が設けられていれば、１本の命釘３８を左側または右側に釘調整することができ、下側における２本の命釘３６；３７における個々の左側または右側への移動量を少なくすることができる。このように２本の命釘３６；３７における個々の左側または右側への移動量が少なくなると、遊技者が図４に示す遊技機枠１の前側から前面パネル１１を通して一般入賞部品２３の周りを見た場合、２本の命釘３６；３７がどのように釘調整されたのかを遊技者が容易に見分けることができなくなるからである。
【産業上の利用可能性】
【００２８】
図５は、異なる形態に係る遊技盤１５における３本の命釘３６乃至３８が１つの一般入賞部品２３に対し球４４を蛇行させつつ斜め上方から入賞させるように設けられた配置構成の正面を示す。図５では、命釘３６乃至３８の相互間の間隔Ｌ１；Ｌ２は同じ寸法であるが、命釘３８の中心が命釘３６の中心を通る垂線Ｙ１に位置する。第２連釘群４６は、命釘３８の右側から斜め下方に連続するように設けられる。隙間４８は、命釘３８と第１連釘群４５との間に設けられる。障害釘５０が１本であり、隔壁釘５３は２本である。図１のａ図における隔壁釘５２は取り除かれている。異なる形態の場合も、最良の形態のように、距離Ｘ１（図２参照）が大きくなればなるほど、球が一般入賞部品２３に入賞しやすくなるが、距離Ｘ１は、５乃至５．６ｍｍの範囲に設定されるのが、一般入賞部品２３に球４４の取り込まれる入賞率に対する釘調整の観点から最良である。
【００２９】
図６は、最良の形態および異なる形態に対する対比例である。図６のａ図およびｂ図は、遊技盤１５における３本の命釘３６乃至３８が１つの一般入賞部品２３に対し球４４を蛇行させつつ斜め上方から入賞させるように設けられた配置構成の正面を示す。図６のｃ図は、遊技盤１５における４本の命釘３６乃至３９が１つの一般入賞部品２３に対し球４４を蛇行させつつ斜め上方から入賞させるように設けられた配置構成の正面を示す。図６のａ図では、命釘３８の中心が命釘３７の中心を通る垂線Ｙ２に位置するので、球が一般入賞部品２３に入り難くなる。図６のｂ図では、命釘３８の中心が命釘３６の中心を通る垂線Ｙ１よりも右側に位置し、命釘３７の真横に位置するので、球が一般入賞部品２３に入り過ぎる。図６のｃ図では、命釘３８の中心が命釘３７の中心を通る垂線Ｙ２に位置し、命釘３９が命釘３７の中心を通る垂線Ｙ２よりも左側に位置するものの、命釘３６；３７による対形態と命釘３７；３８による対形態とからなる２つの対形態が上下に分かれて設けられているだけで、命釘３７；３９とが１つの対形態を構成していないので、一般入賞部品２３に球の取り込まれる入賞率が安定しない。
【００３０】
図４において、３本の命釘３６乃至３８が１つの入賞部品に対し球４４（図１参照）を蛇行させつつ斜め上方から入賞させるように設けられた配置構成は、特別始動入賞部品２４より左側に位置した一般入賞部品２３を例として説明したが、最良の形態における左を右と読み替えることによって、特別始動入賞部品２４より右側に位置した一般入賞部品２３についても適用できる。また、一般入賞部品２３を入賞部品と読み替えることによって、３本の命釘３６乃至３８が１つの入賞部品に対し球４４を蛇行させつつ斜め上方から入賞させるように設けられた配置構成は、図４における普通始動部品２２、特別始動入賞部品２４、可変入賞部品２５など、一般入賞部品２３以外の遊技領域１８の上部から球を取り入れるための部品に対しても適用できる。
【図面の簡単な説明】
【００３１】
【図１】ａ図は遊技盤の一般入賞部品に対する３本の命釘の配置構成を示す正面図、ｂ図は３本の命釘に相当する１本の命釘が遊技盤に打ち込まれた形態を示す断面図（最良の形態）。
【図２】遊技盤の一般入賞部品に対する１本の命釘を右側に移動して釘調整された形態を示す正面図（最良の形態）。
【図３】遊技盤の一般入賞部品に対する１本の命釘を左側に移動して釘調整された形態を示す正面図（最良の形態）。
【図４】パチンコ遊技機を示す正面図（最良の形態）。
【図５】遊技盤の一般入賞部品に対する３本の命釘の配置構成を示す正面図（異なる形態）。
【図６】遊技盤の一般入賞部品に対する３本の命釘の配置構成を示す正面図（対比例）
【符号の説明】
【００３２】
１５  遊技盤
１８  遊技領域
２３  一般入賞部品（入賞部品）
３６  命釘
３７  命釘
３８  命釘
【図１】
2006230486.tif 000003
【図２】
2006230486.tif 000004
【図３】
2006230486.tif 000005
【図４】
2006230486.tif 000006
【図５】
2006230486.tif 000007
【図６】
2006230486.tif 000008